【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
通信装置を自立させるための脚構造を備え、脚を動作させて使用する機能部を有する通信装置において、
前記通信装置は脚の動作状態を検出する脚動作検出部と、当該通信装置の動作モードを制御する動作モード制御部と、を備え、
前記脚動作検出部において前記脚が所定の動作状態であることが検出された場合、前記動作モード制御部は、前記脚の動作状態と関連する通信装置に備えられた前記機能部を有効とする動作モードに当該通信装置の動作モードを変更することを特徴とする通信装置。
【請求項２】
前記通信装置は前記機能部としての撮像手段と、オートシャッター制御部と、を備え、
前記動作モード制御部がカメラモードで動作中に、前記脚動作検出部が脚の開脚を検出した場合、前記動作モード制御部はオートシャッター制御部を有効とする動作モードに変更することを特徴とする請求項１に記載の通信装置。
【請求項３】
前記通信装置は表示部の表示画面を鏡として機能するように制御する鏡面制御部を前記機能部として備え、
前記動作制御部が待ち受けモードで動作中に、前記脚動作検出部が脚の開脚を検出した場合、前記動作モード制御部は前記鏡面制御部を有効とする動作モードに変更することを特徴とする請求項１または請求項２に記載の通信装置。
【請求項４】
前記通信装置は、前記機能部として、表示部の表示画面を鏡として機能するように制御する鏡面制御部と、前記表示画面の背面方向を撮像する撮像手段およびオートシャッター制御部と、を備え、
前記脚動作検出部は、脚が収納状態であるか否かを検出する第１の検出手段と、表示面が略垂直となる第１の開脚状態であるか第１の開脚状態より緩やかな傾斜となる第２の開脚状態であるかを検出する第２の検出手段から構成され、
前記第１、第２の検出手段に基づき前記いずれかの機能部を有効とする動作モードに変更することを特徴とする請求項１に記載の通信装置。
【請求項５】
前記脚動作検出部が前記第１の開脚状態にあることを検出した場合、前記動作モード制御部はオートシャッター制御部を有効とする動作モードに変更することを特徴とする請求項４に記載の通信装置。
【請求項６】
前記脚動作検出部が前記第２の開脚状態にあることを検出した場合、前記動作モード制御部は前記鏡面制御部を有効とする動作モードに変更することを特徴とする請求項４または請求項５に記載の通信装置。
【請求項７】
前記通信装置は、前記機能部として、表示部の表示画面を鏡として機能するように制御する鏡面制御部と、前記表示画面の背面方向を撮像する撮像手段およびオートシャッター制御部と、を備え、
前記脚動作検出部は、表示面が略垂直となる第１の角度範囲の開脚状態であるか、前記第１の角度範囲の開脚状態より緩やかな傾斜となる第２の角度範囲の開脚状態であるかを検出し、
前記第１の角度範囲の開脚状態であるか、第２の角度範囲の開脚状態であるかに基づき前記いずれかの機能部を有効とする動作モードに変更することを特徴とする請求項１に記載の通信装置。
【請求項８】
前記通信装置は、更に、焦点距離検出手段を備え、前記焦点距離が所定の距離以内の値である時、前記鏡面制御部を有効とする動作モードに変更することを特徴とする請求項１ないし請求項７のいずれか１項に記載の通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明は、撮像用のカメラや鏡の機能を有するＬＣＤ表示部を備えた通信装置であって、通信装置を自立させるための脚構造を備えた通信装置に関するものであり、特に、通信装置の自立用脚構造の脚の動作状態に基づいて、オートシャッターを作動させ、あるいは、ＬＣＤ表示部を鏡面状態に変更させる制御を行うようにした通信装置に関するものである。
【手続補正４】
【補正対象書類名】明細書
【補正対象項目名】００１５
【補正方法】変更
【補正の内容】
【００１５】
請求項１に記載の通信装置は、通信装置を自立させるための脚構造を備え、脚を動作させて使用する機能部を有する通信装置において、前記通信装置は脚の動作状態を検出する脚動作検出部と、当該通信装置の動作モードを制御する動作モード制御部と、を備え、前記脚動作検出部において前記脚が所定の動作状態であることが検出された場合、前記動作モード制御部は、前記脚の動作状態と関連する通信装置に備えられた前記機能部を有効とする動作モードに当該通信装置の動作モードを変更することを特徴とする。
【手続補正５】
【補正対象書類名】明細書
【補正対象項目名】００１６
【補正方法】変更
【補正の内容】
【００１６】
請求項２に記載の発明は、前記通信装置は前記機能部としての撮像手段と、オートシャッター制御部と、を備え、前記動作モード制御部がカメラモードで動作中に、前記脚動作検出部が脚の開脚を検出した場合、前記動作モード制御部はオートシャッター制御部を有効とする動作モードに変更することを特徴とする。
【手続補正６】
【補正対象書類名】明細書
【補正対象項目名】００１７
【補正方法】変更
【補正の内容】
【００１７】
請求項３に記載の発明は、前記通信装置は表示部の表示画面を鏡として機能するように制御する鏡面制御部を前記機能部として備え、前記動作制御部が待ち受けモードで動作中に、前記脚動作検出部が脚の開脚を検出した場合、前記動作モード制御部は前記鏡面制御部を有効とする動作モードに変更することを特徴とする。
【手続補正７】
【補正対象書類名】明細書
【補正対象項目名】００１８
【補正方法】変更
【補正の内容】
【００１８】
請求項４に記載の発明は、前記通信装置は、前記機能部として、表示部の表示画面を鏡として機能するように制御する鏡面制御部と、前記表示画面の背面方向を撮像する撮像手段およびオートシャッター制御部と、を備え、前記脚動作検出部は、脚が収納状態であるか否かを検出する第１の検出手段と、表示面が略垂直となる第１の開脚状態であるか第１の開脚状態より緩やかな傾斜となる第２の開脚状態であるかを検出する第２の検出手段から構成され、前記第１、第２の検出手段に基づき前記いずれかの機能部を有効とする動作モードに変更することを特徴とする。
【手続補正８】
【補正対象書類名】明細書
【補正対象項目名】００１９
【補正方法】変更
【補正の内容】
【００１９】
請求項５に記載の発明は、前記脚動作検出部が前記第１の開脚状態にあることを検出した場合、前記動作モード制御部はオートシャッター制御部を有効とする動作モードに変更することを特徴とする。
【手続補正９】
【補正対象書類名】明細書
【補正対象項目名】００２０
【補正方法】変更
【補正の内容】
【００２０】
請求項６に記載の発明は、前記脚動作検出部が前記第２の開脚状態にあることを検出した場合、前記動作モード制御部は前記鏡面制御部を有効とする動作モードに変更することを特徴とする。
【手続補正１０】
【補正対象書類名】明細書
【補正対象項目名】００２１
【補正方法】変更
【補正の内容】
【００２１】
請求項７に記載の発明は、前記通信装置は、前記機能部として、表示部の表示画面を鏡として機能するように制御する鏡面制御部と、前記表示画面の背面方向を撮像する撮像手段およびオートシャッター制御部と、を備え、前記脚動作検出部は、表示面が略垂直となる第１の角度範囲の開脚状態であるか、前記第１の角度範囲の開脚状態より緩やかな傾斜となる第２の角度範囲の開脚状態であるかを検出し、前記第１の角度範囲の開脚状態であるか、第２の角度範囲の開脚状態であるかに基づき前記いずれかの機能部を有効とする動作モードに変更することを特徴とする。
【手続補正１１】
【補正対象書類名】明細書
【補正対象項目名】００２２
【補正方法】変更
【補正の内容】
【００２２】
請求項８に記載の発明は、更に、焦点距離検出手段を備え、前記焦点距離が所定の距離以内の値である時、前記鏡面制御部を有効とする動作モードに変更することを特徴とする。
【手続補正１２】
【補正対象書類名】明細書
【補正対象項目名】００２３
【補正方法】変更
【補正の内容】
【００２３】
請求項１にかかる発明においては、通信装置を自立させるための脚構造を備え、脚を動作させて使用する機能部を有する通信装置において、通信装置は脚の動作状態を検出する脚動作検出部と、当該通信装置の動作モードを制御する動作モード制御部と、を備え、脚動作検出部において前記脚が所定の動作状態であることが検出された場合、動作モード制御部は、前記脚の動作状態と関連する通信装置に備えられた前記機能部を有効とする動作モードに当該通信装置の動作モードを変更する。
【手続補正１３】
【補正対象書類名】明細書
【補正対象項目名】００２４
【補正方法】変更
【補正の内容】
【００２４】
このような構成によれば、利用者が通信装置の脚を開いた場合に、脚を開いて動作させる通信装置の機能、例えば、カメラのオートシャッターの機能を有効とするモードに変更することができ、通信装置のモード変更操作を簡単化することができるようになる。
【手続補正１４】
【補正対象書類名】明細書
【補正対象項目名】００２５
【補正方法】変更
【補正の内容】
【００２５】
請求項２にかかる発明においては、請求項１にかかる通信装置において、通信装置は前記機能部としての撮像手段と、オートシャッター制御部と、を備え、前記動作モード制御部がカメラモードで動作中に、前記脚動作検出部が脚の開脚を検出した場合、前記動作モード制御部はオートシャッター制御部を有効とする動作モードに変更する。
【手続補正１５】
【補正対象書類名】明細書
【補正対象項目名】００２６
【補正方法】変更
【補正の内容】
【００２６】
このような構成によれば、利用者が通信装置の脚を開いた場合に、カメラのオートシャッターの機能を有効とするモードに変更することができ、通信装置のモード変更操作を簡単化することができるようになる。
【手続補正１６】
【補正対象書類名】明細書
【補正対象項目名】００２７
【補正方法】変更
【補正の内容】
【００２７】
請求項３にかかる発明においては、請求項１または請求項２にかかる通信装置において、通信装置は表示部の表示画面を鏡として機能するように制御する鏡面制御部を前記機能部として備え、前記動作制御部が待ち受けモードで動作中に、前記脚動作検出部が脚の開脚を検出した場合、前記動作モード制御部は前記鏡面制御部を有効とする動作モードに変更する。
【手続補正１７】
【補正対象書類名】明細書
【補正対象項目名】００２８
【補正方法】変更
【補正の内容】
【００２８】
このような構成によれば、利用者が通信装置の脚を開いた場合に、その時動作中のモードによって、表示部の表示画面を鏡として機能させる鏡面制御部を自動的に有効とすることができ、通信装置のモード変更操作を簡単化することができるようになる。
【手続補正１８】
【補正対象書類名】明細書
【補正対象項目名】００２９
【補正方法】変更
【補正の内容】
【００２９】
また、その時動作中のモードによって、カメラのオートシャッターの機能を有効とするモードに変更することができ、通信装置のモード変更操作を簡単化することができるようになる。
【手続補正１９】
【補正対象書類名】明細書
【補正対象項目名】００３０
【補正方法】変更
【補正の内容】
【００３０】
また、請求項４にかかる発明においては、請求項１にかかる通信装置において、脚動作検出部は、脚が収納状態であるか否かを検出する第１の検出手段と、表示面が略垂直となる第１の開脚状態であるか第１の開脚状態より緩やかな傾斜となる第２の開脚状態であるかを検出する第２の検出手段から構成され、第１、第２の検出手段に基づき前記いずれかの機能部を有効とする動作モードに変更する。このような構成によれば、利用者が通信装置の脚を開いた場合に、その角度によって、動作させる通信装置の機能、例えば、カメラのオートシャッターの機能を有効とするモードあるいは表示画面を鏡として使用するモードに変更することができ、通信装置のモード変更操作を簡単化することができるようになる。
【手続補正２０】
【補正対象書類名】明細書
【補正対象項目名】００３１
【補正方法】変更
【補正の内容】
【００３１】
請求項５、請求項６にかかる発明においては、請求項４にかかる通信装置において、前記脚動作検出部が前記第１の開脚状態にあることを検出した場合、前記動作モード制御部はオートシャッター制御部を有効とする動作モードに変更し、あるいは、前記脚動作検出部が前記第２の開脚状態にあることを検出した場合、前記動作モード制御部は前記鏡面制御部を有効とする動作モードに変更する。
【手続補正２１】
【補正対象書類名】明細書
【補正対象項目名】００３２
【補正方法】変更
【補正の内容】
【００３２】
このような構成によれば、利用者が通信装置の脚を開いた場合に、その角度によって、動作させる通信装置の機能、例えば、カメラのオートシャッターの機能を有効とするモードあるいは表示画面を鏡として使用するモードに変更することができ、通信装置のモード変更操作を簡単化することができるようになる。
【手続補正２２】
【補正対象書類名】明細書
【補正対象項目名】００３３
【補正方法】変更
【補正の内容】
【００３３】
請求項７にかかる発明においては、請求項１にかかる通信装置において、前記脚動作検出部は、表示面が略垂直となる第１の角度範囲の開脚状態であるか、前記第１の角度範囲の開脚状態より緩やかな傾斜となる第２の角度範囲の開脚状態であるかを検出し、前記第１の角度範囲の開脚状態であるか、第２の角度範囲の開脚状態であるかに基づき前記いずれかの機能部を有効とする動作モードに変更する。
【手続補正２３】
【補正対象書類名】明細書
【補正対象項目名】００３４
【補正方法】変更
【補正の内容】
【００３４】
このような構成によれば、利用者が通信装置の脚を開いた場合に、その角度範囲によって、角度範囲によって動作させる通信装置の機能、例えば、カメラのオートシャッターの機能を有効とするモードあるいは表示画面を鏡として使用するモードに変更することができ、通信装置のモード変更操作を簡単化することができるようになる。
【手続補正２４】
【補正対象書類名】明細書
【補正対象項目名】００３５
【補正方法】変更
【補正の内容】
【００３５】
請求項８にかかる発明においては、請求項１ないし請求項７のいずれか１項にかかる通信装置において、前記通信装置は、更に、焦点距離検出手段を備え、前記焦点距離が所定の距離以内の値である時、前記鏡面制御部を有効とする動作モードに変更する。
【手続補正２５】
【補正対象書類名】明細書
【補正対象項目名】００３６
【補正方法】変更
【補正の内容】
【００３６】
このような構成によれば、オートフォーカス機能を利用してカメラのオートシャッターを有効とするモードに変更することができ、自立用脚の動作状態の検出結果にかかわらず、正確に通信装置のモードを変更することができるようになる。